【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
画像信号に応じて光源からの光を変調する光変調素子を有し、該光変調素子により変調された光を投射して画像を表示する画像投射装置であって、
前記光源から出射した光の光量を変化させる光学素子と、
前記画像信号の階調に関する情報を取得する情報取得手段と、
前記光量の変化に応じて前記画像信号の補正を行う補正手段と、
前記階調に関する情報に基づいて、前記光学素子および前記光源に対する光量の割当てを設定し、前記割当てに応じて前記光学素子および前記光源に対する供給電力を制御する制御手段とを有し、
前記補正手段は前記光学素子の制御による前記光量の変化に応じて前記画像信号を補正するための第１の補正データと前記供給電力の制御による前記光量の変化に応じて前記画像信号を補正するための第２の補正データのうち少なくとも一方に基づいて前記画像信号の補正を行うことを特徴とする画像投射装置。
【請求項２】
前記画像の明るさに関するユーザ設定値を取得する取得手段を有し、
前記制御手段は、
前記ユーザ設定値と前記階調に関する情報とに応じて光量に関する目標値を設定し、
該目標値を得るための前記割当てを設定することを特徴とする請求項１に記載の画像投射装置。
【請求項３】
前記制御手段は、前記目標値が所定値より大きい場合と前記所定値より小さい場合とで前記割当てを変更することを特徴とする請求項２に記載の画像投射装置。
【請求項４】
前記第１の補正データは前記光学素子の制御による前記画像の色の変化を補正するための補正データであり、前記第２の補正データは前記供給電力の制御による前記画像の色の変化を補正するための補正データであることを特徴とする請求項１から３のいずれか一項に記載の画像投射装置。
【請求項５】
前記光源の劣化を検出する劣化検出手段を有し、
前記制御手段は、前記劣化が検出された場合に、前記劣化による前記光変調素子に入射する光量の低下を抑えるように前記光学素子および前記供給電力のうち少なくとも一方を制御することを特徴とする請求項１から４のいずれか一項に記載の画像投射装置。
【請求項６】
前記光源の光量を検出する光量検出手段を有し、
前記劣化検出手段は、所定の供給電力において前記光量が低下したことを検出した場合に前記劣化を検出することを特徴とする請求項５に記載の画像投射装置。
【請求項７】
前記画像投射装置の内部温度を検出する温度検出手段を有し、
前記制御手段は、前記内部温度が所定温度より高い場合に、該内部温度を低下させるように前記光学素子および前記供給電力のうち少なくとも一方を制御するとともに、該制御に応じて前記割当てを変更することを特徴とする請求項１から６のいずれか一項に記載の画像投射装置。
【請求項８】
前記階調に関する情報は、平均階調レベル、階調ヒストグラムおよび最大階調値のうちいずれかであることを特徴とする請求項１から７のいずれか一項に記載の画像投射装置。
【請求項９】
画像信号に応じて光源からの光を変調する光変調素子を有し、該光変調素子により変調された光を投射して画像を表示する画像投射装置であり、前記光源から出射した光の光量を変化させる光学素子を有する画像投射装置の制御方法であって、
前記画像信号を解析して該画像信号の階調に関する情報を取得するステップと、
前記光量の変化に応じて前記画像信号を補正するステップと、
前記階調に関する情報に基づいて、前記光学素子および前記光源に対する光量の割当てを設定し、前記割当てに応じて前記光学素子および前記光源に対する供給電力を制御するステップとを有し、
前記補正するステップは、前記光学素子の制御による前記光量の変化に応じて前記画像信号を補正するための第１の補正データと前記供給電力の制御による前記光量の変化に応じて前記画像信号を補正するための第２の補正データのうち少なくとも一方に基づいて補正することを特徴とする画像投射装置の制御方法。
【請求項１０】
画像信号に応じて光源からの光を変調する光変調素子を有し、該光変調素子により変調された光を投射して画像を表示する画像投射装置であり、前記光源から出射した光の光量を変化させる光学素子を有する画像投射装置のコンピュータに処理を実行させるコンピュータプログラムであって、
前記処理は、
前記画像信号を解析して該画像信号の階調に関する情報を取得するステップと、
前記光量の変化に応じて前記画像信号を補正するステップと、
前記階調に関する情報に基づいて、前記光学素子および前記光源に対する光量の割当てを設定し、前記割当てに応じて前記光学素子および前記光源に対する供給電力を制御するステップとを有し、
前記補正するステップは、前記光学素子の制御による前記光量の変化に応じて前記画像信号を補正するための第１の補正データと前記供給電力の制御による前記光量の変化に応じて前記画像信号を補正するための第２の補正データのうち少なくとも一方に基づいて補正することを特徴とする制御プログラム。
【手続補正２】
【補正対象書類名】明細書
【補正対象項目名】０００６
【補正方法】変更
【補正の内容】
【０００６】
本発明の一側面としての画像投射装置は、画像信号に応じて光源からの光を変調する光変調素子を有し、該光変調素子により変調された光を投射して画像を表示する。該装置は、光源から出射した光の光量を変化させる光学素子と、画像信号を解析して該画像信号の階調に関する情報を取得する情報取得手段と、光量の変化に応じて該画像信号の補正を行う補正手段と、階調に関する情報に基づいて光学素子および光源に対する光量の割当てを設定し、該割当てに応じて光学素子および光源に対する供給電力を制御する制御手段とを有し、該補正手段は光学素子の制御による光量の変化に応じて画像信号を補正するための第１の補正データと供給電力の制御による光量の変化に応じて画像信号を補正するための第２の補正データのうち少なくとも一方に基づいて画像信号の補正を行うことを特徴とする。
【手続補正３】
【補正対象書類名】明細書
【補正対象項目名】０００７
【補正方法】変更
【補正の内容】
【０００７】
また、本発明の他の一側面としての制御方法は、画像信号に応じて光源からの光を変調する光変調素子を有し、該光変調素子により変調された光を投射して画像を表示する画像投射装置であり、光源から出射した光の光量を変化させる光学素子を有する画像投射装置に適用される。該制御方法は、画像信号を解析して該画像信号の階調に関する情報を取得するステップと、光量の変化に応じて該画像信号を補正するステップと、階調に関する情報に基づいて光学素子および光源に対する光量の割当てを設定し、該割当てに応じて光学素子および光源に対する供給電力を制御するステップとを有し、該補正するステップは、光学素子の制御による光量の変化に応じて画像信号を補正するための第１の補正データと供給電力の制御による光量の変化に応じて画像信号を補正するための第２の補正データのうち少なくとも一方に基づいて補正することを特徴とする。
【手続補正４】
【補正対象書類名】明細書
【補正対象項目名】０００９
【補正方法】変更
【補正の内容】
【０００９】
本発明によれば、光学素子の制御と光源の制御とをユーザ設定値と画像信号の階調に関する情報に応じて良好に連動させて投射画像のコントラストを向上させることができる。